(57)【要約】【課題】生産性を高めると共に、用紙に皺が発生することを抑制できる画像形成装置を提供する。【解決手段】画像形成部６０の下流側に第１定着装置１７Ａと第２定着装置１７Ｂとを配置し、これらの間にレジストローラ３２と、レジストローラ３２の上流側にアシストローラ３３を配置し、第１定着装置１７Ａで用紙Ｐに曲がりが発生しても、レジストローラ３２で曲がりを補正して第２定着装置１７Ｂで皺が発生することを抑制した。これにより、第１定着装置１７Ａでの定着処理時間を短くでき、品質のよい画像形成を行うことが可能となる。【選択図】図１
2010168141.tif 000002
【特許請求の範囲】
【請求項１】
給紙部から排紙部に至る用紙搬送路を搬送される用紙にトナー画像を形成する画像形成部と、
前記画像形成部のうち最下流側に位置する前記画像形成部の下流側に前記用紙搬送路に沿って配置された第１定着部と第２定着部と、
前記第１定着部と前記第２定着部との間に配置された用紙の曲がり補正を行う補正機構と、
を備えることを特徴とする画像形成装置。
【請求項２】
前記補正機構は、前記第１定着部を用紙の後端が通過した状態で用紙の曲がり補正を行うことを特徴とする請求項１に記載の画像形成装置。
【請求項３】
前記第１定着部の下流側で前記補正機構の上流側に、用紙をループ状に撓ませるアシストローラを備えることを特徴とする請求項１乃至請求項３のいずれか一項に記載の画像形成装置。
【請求項４】
前記補正機構はレジストローラであることを特徴とする請求項１乃至請求項３のいずれか一項に記載の画像形成装置。
【発明の詳細な説明】
【技術分野】
【０００１】
本発明は、２つの定着部を備える複写機、プリンタ、ファクシミリなどの画像形成装置に関する。
【背景技術】
【０００２】
従来の画像形成装置としては、用紙搬送路を搬送される用紙のそれぞれの面にトナー画像の転写が行えるように２つの画像形成部を用紙搬送路に沿って配置し、それぞれの画像形成部の下流側に定着部を備えたものが知られている(例えば、特許文献１参照)。
【０００３】
一般に、厚い用紙に画像形成を行う場合には、定着時間が短いとトナーの定着性が悪くなることが知られている。上記した構成の従来の画像形成装置を用いて厚い用紙に画像形成を行うには、用紙表面のトナーの定着性を向上させるために、用紙が定着部を通過する時間を長く設定することが必要となる。また、トナーの定着性を高めるため、片面又は両面の定着後に、再度裏面にした状態で画像形成部での画像形成を行わずに定着部を通過させて定着回数を多くする等の方法が行われている。
【先行技術文献】
【特許文献】
【０００４】
【特許文献１】特開２００１−１００４７５号公報
【発明の概要】
【発明が解決しようとする課題】
【０００５】
しかしながら、従来の画像形成装置では１つの定着部における定着時間を長くすることや、それぞれの画像形成部の下流側に配置された定着部を通過する回数を多くすることで、トナーの定着性の向上を図っていたため、生産性が低下するという問題があった。
【０００６】
そこで、上記問題を解決するため、第１定着部を通過した後に、連続的に第２定着部での定着処理を行うことが考えられる。しかしならが、この場合、第１定着部通過時又は通過後に第２定着部に進入するまでの間で、用紙の曲がりにより第２定着部で用紙に皺が発生するという問題がある。その理由は、定着工程では熱と圧力の影響を受けて用紙に撓みなどの変形が発生し易く、その後の搬送過程で用紙が曲がって搬送され易い。したがって、第１定着部の通過時や第２定着部に進入するまでに用紙の曲がりが発生して第２定着部に曲がって進入した用紙には皺が発生し易くなる。
【０００７】
本発明はこのような問題点に着目して創案されたものであって、その目的とするところは、生産性を高めると共に、用紙に皺が発生することを抑制できる画像形成装置を提供することにある。
【０００８】
また、本発明の他の目的は、厚い用紙への画像形成を効率よく行える画像形成装置を提供することにある。
【課題を解決するための手段】
【０００９】
本発明の特徴は、給紙部から排紙部に至る用紙搬送路と、用紙搬送路を搬送される用紙にトナー画像を形成する画像形成部と、前記画像形成部のうち最も下流側に位置する画像形成部の下流側に用紙搬送路に沿って配置された第１定着部と第２定着部と、第１定着部と第２定着部との間に配置された用紙の曲がり補正を行う補正機構と、を備えることを要旨とする。
【００１０】
ここで、補正機構は、第１定着部を用紙の後端が通過した状態で用紙の曲がり補正を行うことが好ましい。
【００１１】
また、本発明では、第１定着部の下流側で補正機構の上流側に用紙を、ループ状に撓ませるアシストローラを備える構成とすることが好ましい。
さらに、本発明では、補正機構としてレジストローラを用いることができる。
【発明の効果】
【００１２】
本発明によれば、生産性を高めると共に、用紙に皺が発生することを抑制できる画像形成装置を実現することができる。また、本発明によれば、厚い用紙への画像形成を効率よく行うことが可能となる。
【図面の簡単な説明】
【００１３】
【図１】本発明の第１の実施の形態に係るカラー複写機の全体構成図である。
【図２】本発明の第２の実施の形態に係る複写機の説明図である。
【発明を実施するための形態】
【００１４】
以下、本発明の各実施の形態に係る画像形成装置の詳細を図面に基づいて説明する。
【００１５】
(第１の実施の形態)
図１は、本発明の第１の実施の形態に係る画像形成装置としてのカラー複写機１００の概略を示す全体構成図である。以下、図１を参照して、第１の実施の形態に係わるカラー複写機１００の内部構成の概略について説明する。なお、本実施の形態に係るカラー複写機１００は、タンデム型のカラー画像形成装置と称されるものである。
【００１６】
カラー複写機１００は、原稿３０に形成された色画像を読み取って画像情報を取得し、この画像情報に基づいて感光ドラム上に各色の画像を形成した後、用紙上に色を重ね合わせた画像を形成する装置である。ここで、カラー複写機１００から出力される用紙上に形成される画像を「出力画像」と呼ぶ。なお、本発明の画像形成装置は、本実施の形態のようなカラー複写機１００や、後述する第２実施の形態のようなモノクロ用の複写機の他に、カラー用又はモノクロ用のプリンタやファクシミリ装置、これらの複合機等に適用してもよい。
【００１７】
カラー複写機１００は、第１本体１０１の上部に、画像入力部１１及びＡＤＦ４０（自動原稿搬送装置）が配設されている。ＡＤＦ４０は、自動給紙モード（ＡＤＦモード）時に、一又は複数の原稿３０を自動給紙するように動作する。ここにＡＤＦモードとは、ＡＤＦ４０に載置された原稿３０を自動給紙して原稿画像を自動的に読み取る動作をいう。
【００１８】
ＡＤＦ４０は、原稿載置部４１、ローラ４２ａ、ローラ４２ｂ、ローラ４３、搬送ローラ４４及び排紙皿４６を有している。原稿載置部４１には一又は複数の原稿３０が載置される。原稿載置部４１の下流側にはローラ４２ａ及びローラ４２ｂが設けられている。ＡＤＦモードが選択されたとき、原稿載置部４１から繰り出された原稿３０は、下流側のローラ４３によってＵ字回転するように搬送される。なお、ＡＤＦモードが選択された場合、原稿３０の記録面は原稿載置部４１で上に向けて載置される。
【００１９】
また、画像入力部１１は、原稿３０に形成された色画像を読み取るように動作する。画像入力部１１には、例えば、カラー用のスリットスキャン型のスキャナが使用される。画像入力部１１にはアレイ状に配列されたイメージセンサ５８が備えられ、例えば、ＡＤＦモード時に、原稿３０がローラ４３によってＵ字状に反転した際に、その原稿３０の表面を読み取って画像読取信号Ｓｏｕｔを出力するようになっている。
【００２０】
イメージセンサ５８には、例えば３ラインカラーＣＣＤ（Charge Coupled Device）撮像装置が使用される。イメージセンサ５８は、複数の受光素子列が主走査方向に配置されて構成される赤（Ｒ）色、緑（Ｇ）色及び青（Ｂ）色光検出用の３つの読み取りセンサを備え、３つの読み取りセンサは、主走査方向と直交する副走査方向の異なる位置で画素を分割してＲ色、Ｇ色及びＢ色の光情報を同時に読み取る。
【００２１】
画像入力部１１で読み取られた原稿３０は、搬送ローラ４４により搬送されて排紙皿４６へ排紙される。また、イメージセンサ５８は、プラテンモード時に、原稿３０を読み取って得たＲＧＢ色系の画像読取信号を出力するようになっている。ここにプラテンモードとは、プラテンガラス上に載置された原稿３０に光学駆動系を走査して原稿画像を自動的に読み取る動作をいう。
【００２２】
画像入力部１１は、イメージセンサ５８の他に、第１のプラテンガラス５１、第２のプラテンガラス５２（ＡＤＦガラス）、光源５３、ミラー５４、５５、５６、結像光学部５７及び特に図示しない光学駆動部を有している。この光学駆動部は原稿３０又はイメージセンサ５８を副走査方向に相対的に移動するように動作する。副走査方向とは、イメージセンサ５８を構成する複数の受光素子の配置方向を主走査方向としたとき、この主走査方向と直交する方向をいう。ミラー５４〜５６は、原稿３０で反射された光を折り返すように配置され、結像光学部５７は、折り返された光をイメージセンサ５８上で結像させる。このように、ＡＤＦ４０の原稿載置部４１に載置された原稿３０は前述したローラ４２ａ、４２ｂ、４３及び搬送ローラ４４により搬送され、画像入力部１１の光学系（光源５３、ミラー５４、５５、５６、結像光学部５７及び光学駆動部を含む）により原稿３０の片面又は両面の画像が走査露光され、原稿３０の画像情報を反映する反射光がイメージセンサ５８により読み込まれる。
【００２３】
イメージセンサ５８は、入射光の光量に応じて光電変換する。光電変換されたアナログの画像読取信号は画像入力部１１内においてＡ／Ｄ変換されてデジタルの画像読取信号Ｓｏｕｔが画像入力部１１から出力される。画像入力部１１には制御部１５を介して画像処理部３１が接続され、デジタルの画像読取信号Ｓｏｕｔが画像処理部３１において、画像圧縮処理及び変倍処理等がなされ、Ｒ色、Ｇ色、Ｂ色成分のデジタルの画像データとなる。さらに、画像処理部３１は、その画像データを３次元色情報変換テーブルによって、Ｙ、Ｍ、Ｃ、ＢＫ色用の画像データＤｙ、Ｄｍ、Ｄｃ、Ｄｋに変換し、その色変換後の画像データＤｙ、Ｄｍ、Ｄｃ、Ｄｋを、画像形成部６０を構成する書込ユニット３Ｙ、３Ｍ、３Ｃ、３Ｋへ転送する。
【００２４】
画像形成部６０は、画像入力部１１により読み取って得た画像データＤｙ、Ｄｍ、Ｄｃ、Ｄｋに基づいて色画像を形成する。画像形成部６０には、Ｙ、Ｍ、Ｃ、ＢＫの色毎に感光ドラムを有する複数の画像形成ユニット１０Ｙ、１０Ｍ、１０Ｃ、１０Ｋと、無終端状の中間転写体６とが備えられている。なお、このカラー複写機１００では、１つの画像形成部６０を有するものであり、画像形成部６０が最下流の画像形成部となる。さらに、画像形成部６０の下流側には、中間転写体６から用紙に転写したトナー像を定着するための第１定着部としての第１定着装置１７Ａが備えられている。
【００２５】
イエロー（Ｙ）色の画像を形成する画像形成ユニット１０Ｙは、Ｙ色のトナー像を形成する像形成体としての感光体ドラム１Ｙと、感光体ドラム１Ｙの周囲に配置されたＹ色用の帯電部２Ｙ、書込ユニット３Ｙ、現像部４Ｙ及び像形成体用のクリーニング部８Ｙを有する。マゼンダ（Ｍ）色の画像を形成する画像形成ユニット１０Ｍは、Ｍ色のトナー像を形成する像形成体としての感光体ドラム１Ｍと、Ｍ色用の帯電部２Ｍ、書込ユニット３Ｍ、現像部４Ｍ及び像形成体用のクリーニング部８Ｍを有する。シアン（Ｃ）色の画像を形成する画像形成ユニット１０Ｃは、Ｃ色のトナー像を形成する像形成体としての感光体ドラム１Ｃと、Ｃ色用の帯電部２Ｃ、書込ユニット３Ｃ、現像部４Ｃ及び像形成体用のクリーニング部８Ｃを有する。黒（ＢＫ）色の画像を形成する画像形成ユニット１０Ｋは、ＢＫ色のトナー像を形成する像形成体としての感光体ドラム１Ｋと、ＢＫ色用の帯電部２Ｋ、書込ユニット３Ｋ、現像部４Ｋ及び像形成体用のクリーニング部８Ｋを有する。
【００２６】
帯電部２Ｙと書込ユニット３Ｙ、帯電部２Ｍと書込ユニット３Ｍ、帯電部２Ｃと書込ユニット３Ｃ及び帯電部２Ｋと書込ユニット３Ｋは、画像データＤｙ、Ｄｍ、Ｄｃ、Ｄｋに基づいて、各々の感光体ドラム１Ｙ、１Ｍ、１Ｃ、１Ｋ上に静電潜像を形成する。書込ユニット３Ｙ、３Ｍ、３Ｃ、３Ｋは、画像形成すべき用紙の搬送方向（副走査方向）と直交する主走査方向にライン上に複数の光変調素子を配置した固体走査型の書込ユニットであり、本例では光変調素子としてＬＥＤ素子が用いられたＬＥＤアレイヘッド光学系が使用されている。
【００２７】
現像部４Ｙ、４Ｍ、４Ｃ、４Ｋは、感光体ドラム１Ｙ、１Ｍ、１Ｃ、１Ｋ上の静電潜像を現像して、Ｙ色、Ｍ色、Ｃ色、ＢＫ色のトナー像を形成する。現像部４Ｙ、４Ｍ、４Ｃ、４Ｋによる現像は、使用するトナー極性と同極性（例えば負極性）の直流電圧に交流電圧を重畳した現像バイアスが印加される反転現像にて行われる。
【００２８】
中間転写体６は、複数のローラにより回転可能に支持されている。１次転写ローラ７Ｙ、７Ｍ、７Ｃ、７Ｋは、中間転写体６を挟んで感光体ドラム１Ｙ、１Ｍ、１Ｃ、１Ｋに対向する位置に設置されている。使用するトナーと反対極性（例えば正極性）の１次転写バイアス（特に図示しない）を１次転写ローラ７Ｙ、７Ｍ、７Ｃ、７Ｋに印加することにより、各々の感光体ドラム１Ｙ、１Ｍ、１Ｃ、１Ｋに形成されたＹ色、Ｍ色、Ｃ色、ＢＫ色のトナー像は、回転する中間転写体６上に逐次転写される。このようにして、各色のトナー像を重ね合わされたカラートナー像が中間転写体６上に１次転写して形成される。
【００２９】
また、画像形成部６０の下方には、画像形成部６０に用紙Ｐを搬送するように動作する搬送部２０が備えられ、搬送部２０は、用紙Ｐを収容する給紙トレイ２０Ａ、２０Ｂ、２０Ｃを有している。給紙トレイ２０Ａ等に収容された用紙Ｐは、給紙トレイ２０Ａ等に設けられた送り出しローラ２１及び給紙ローラ２２Ａにより給紙され、搬送ローラ２２Ｂ、２２Ｃ、２２Ｄ、レジストローラ２３等を経て、２次転写ローラ７Ａに搬送され、用紙Ｐ上の一方の面（表面）にカラートナー像が中間転写体６から用紙Ｐへ一括して２次転写される。
【００３０】
第１定着装置１７Ａは、カラートナー像が転写された用紙Ｐに熱及び圧力を加えてトナーを用紙Ｐ上に溶着させて第１定着処理する。第１定着処理後の用紙Ｐは、搬送ローラ２４に挟持されて第1本体１０１に隣接して配置された、後述する第２本体１０２側に搬送される。転写後の感光体ドラム１Ｙ、１Ｍ、１Ｃ、１Ｋの外周面上に残った転写残トナーは、クリーニング部８Ｙ、８Ｍ、８Ｃ、８Ｋにより除去されて次の画像形成サイクルに入る。
【００３１】
用紙Ｐの両面に画像を形成する場合には、表面に画像を形成した後、第１定着装置１７Ａから排出された用紙Ｐが分岐部２６により第２本体１０２へ向かう搬送路から分岐される。次いで、用紙Ｐは、下方の循環通紙路２７Ａを経て、再給紙機構（ＡＤＵ機構）である反転搬送路２７Ｂより表裏を反転され、再給紙搬送部２７Ｃを通過して、搬送ローラ２２Ｄから前述した転写経路に合流する。
【００３２】
反転搬送された用紙Ｐは、レジストローラ２３を経て、再度２次転写ローラ７Ａに搬送され、用紙Ｐの裏面上にカラー画像（カラートナー像）が一括転写される。一方、２次転写ローラ７Ａにより用紙Ｐにカラー画像を転写した後、用紙Ｐを曲率分離した中間転写体６上に残された残留トナーは、中間転写ベルト用のクリーニング部８Ａにより除去される。
【００３３】
第１定着処理後の用紙Ｐを第２本体１０２側へ搬送する搬送路に隣接して画質レベル測定部６５が設置されている。中間転写体６の外側に隣接してガンマカーブ測定部７３が設置されている。画質レベル測定部６５は画質レベル測定用センサを備え、ガンマカーブ測定部７３はガンマカーブ測定用センサを備える。画質レベル測定用センサ及びガンマカーブ測定用センサは、それぞれ、イエロー（Ｙ）色、マゼンダ（Ｍ）色、シアン（Ｃ）色及び黒（ＢＫ）色光検出用の４つの読み取りセンサからなる。
【００３４】
画質レベル測定部６５は、カラー複写機１００から出力される出力画像の画質レベルを測定するように動作する。例えば、画質レベル測定用センサは、第１定着装置１７Ａから排紙トレイ２５へ搬送される用紙Ｐの一方の面で反射される光を光電変換して出力画像の色データを取得する。画質レベル測定部６５は、出力画像の色データ（出力）とこの出力画像の色データに対応して書込ユニット３Ｙ、３Ｍ、３Ｃ、３Ｋへ転送される画像データＤｙ、Ｄｍ、Ｄｃ、Ｄｋ（入力）との相対関係を出力画像の画質レベルとして測定する。
【００３５】
ガンマカーブ測定部７３は、出力画像を形成するための一連の画像形成工程の途中で形成される中間画像の画質レベルを測定するように動作する。例えば、ガンマカーブ測定用センサが、中間転写体６の外周面で反射される光を光電変換してカラートナー像の色データを取得する。ガンマカーブ測定部７３は、カラートナー像の色データ（出力）とこのカラートナー像の色データに対応して書込ユニット３Ｙ、３Ｍ、３Ｃ、３Ｋへ転送される画像データＤｙ、Ｄｍ、Ｄｃ、Ｄｋ（入力）との相対関係を中間画像の画質レベルとして測定する。なお、中間画像の画質レベルは制御部１５の制御の下で補正される。
【００３６】
ここでは、中間画像の一例として、中間転写体６上に形成されたカラートナー像について説明するが、これ以外に、感光体ドラム１Ｙ、１Ｍ、１Ｃ、１Ｋ上に形成されたＹ色、Ｍ色、Ｃ色、ＢＫ色の各トナー像や静電潜像であっても構わない。
【００３７】
第２本体１０２には、第１本体１０１側の搬送路と連続して用紙Ｐが搬入される搬送路２８が設けられている。この搬送路２８は、中間部に設けられた搬送路切替手段３１で第１搬送路２８Ａと第２搬送路２８Ｂとに切り替え可能となっている。これら搬送路２８、第１搬送路２８Ａ、第２搬送路２８Ｂに沿って、適所に搬送ローラ２９Ａ〜２９Ｋが配置されている。
【００３８】
第１搬送路２８Ａの途中には、第２定着部としての第２定着装置１７Ｂが配置されており、第１定着装置１７Ａで定着処理された用紙Ｐをさらに追加して定着処理するようになっている。すなわち、第１定着装置１７Ａで定着処理されて未定着なトナー画像が含まれていない定着済みの用紙Ｐを第２定着装置１７Ｂで再定着する構成となっている。特に、厚さの厚い用紙Ｐでは、第１定着装置１７Ａを短時間で通過させただけでは不十分となるため、第２定着装置１７Ｂを通過させることで確実な定着処理を施すことが可能となる。
【００３９】
本実施の形態では、第１搬送路２８Ａにおける第２定着装置１７Ｂの上流側に、用紙の曲がり補正を行う補正機構としてのレジストローラ(対)３２を配置している。また、レジストローラ３２の上流側には、レジストローラ３２で先端が止められて姿勢の曲がりが補正された用紙Ｐを、ロール状に撓ませるためのアシストローラ(対)３３が配置されている。なお、このアシストローラ３３によって形成されるループ量は用紙Ｐのサイズによって変えるように設定されている。このループ量は、用紙Ｐ先端がレジストローラ３２に突き当たってからレジストローラ３２が回転を開始するまでの時間を制御することで変えることができる。
【００４０】
第２搬送路２８Ｂは、第１定着装置１７Ａによる第１定着のみで充分にトナーが定着するような厚さの薄い用紙Ｐを排紙トレイ２５へ搬送する場合に用いることができる。
【００４１】
上記構成の第1の実施の形態に係るカラー複写機１００では、厚い用紙Ｐに画像形成を行う場合に、第１定着装置１７Ａにおける定着時間を長く設定する必要がなく、第２定着装置１７Ｂを通過させることで充分な定着を行うことができる。このため、本実施の形態では、カラー複写機１００の生産性を高めることが可能となる。
【００４２】
しかも、本実施の形態では、第１定着装置１７Ａを通過することに起因して用紙Ｐが曲がることや、第１定着に伴う熱と圧力の影響で用紙Ｐに反りなどが発生しても、レジストローラ３２において用紙Ｐの曲がりを補正できるため、第２定着装置１７Ｂで用紙Ｐに皺が発生することを抑制できる。従って、本実施の形態では、厚い用紙への良質な画像形成を効率よく行えるという効果がある。アシストローラ３３を用いることにより、レジストローラ３２を停止させた状態で、用紙Ｐを繰り出すことで用紙Ｐの曲がりの補正を容易にすると共に、レジストローラ３２からの用紙Ｐの繰り出しを円滑にさせる作用を有する。
【００４３】
なお、本実施の形態では、カラー複写機１００を第１本体１０１と第２本体１０２との２つの筐体を用いて構成したことにより、第２定着装置１７Ｂを用いない場合には、第１本体１０１から第２本体１０２を取り除いて用いることも可能となる。
【００４４】
(第２の実施の形態)
図２は、本発明の第２の実施の形態に係る画像形成装置としてのモノクロ用の複写機の概略を示す説明図である。なお、本実施の形態において、上記第１の実施の形態に係るカラー複写機１００と同様の部分には、同一の符号を付して説明を省略する。
【００４５】
本実施の形態では、画像形成部６０の下流側に定着装置１７が配置され、その下流側に搬送路を挟んで反対側にもう一つの画像形成部６１が配置されている。これら画像形成部６０、６１のうち最下流側に位置する画像形成部６１の下流側に、搬送路に沿って上記定着装置１７とは別の第１定着装置１７Ａと第２定着装置１７Ｂとが順次配置されている。本実施の形態においても、第２定着装置１７Ｂの上流側にレジストローラ３２が配置されている。そして、レジストローラ３２の上流側で第１定着装置１７Ａの下流側にアシストローラ３３が配置されている。
【００４６】
本実施の形態においては、厚みの厚い用紙Ｐに画像形成を行う場合に、用紙Ｐの一面側に転写されたトナー画像を定着装置１７で短時間の定着処理を施して、第１定着装置１７Ａおよび第２定着装置１７Ｂで追加の定着処理を短時間で施せばよいため、生産性を高めることができる。
【００４７】
また、第２定着装置１７Ｂの上流側にレジストローラ３２を配置したことにより、第１定着装置１７Ａを通過することに起因して用紙Ｐが曲がることや、第１定着に伴う熱と圧力の影響で用紙Ｐに反りなどが発生しても、レジストローラ３２において用紙Ｐの曲がりを補正できるため、第２定着装置１７Ｂで用紙Ｐに皺が発生することを抑制できる。従って、本実施の形態では、厚い用紙への良質な画像形成を効率よく行えるという効果がある。
【００４８】
また、本実施の形態においても、アシストローラ３３を用いることにより、レジストローラ３２を停止させた状態で、用紙Ｐを繰り出すことで用紙Ｐの曲がりの補正を容易にすると共に、レジストローラ３２からの用紙Ｐの繰り出しを円滑にさせる作用を有する。
【００４９】
本実施の形態においても、厚い用紙Ｐに画像形成を行う場合に、定着装置１７や第１定着装置１７Ａにおける定着時間を長く設定する必要がなく、第２定着装置１７Ｂを通過させることで充分な追加定着を行うことができる。このため、本実施の形態では、複写機の生産性を高めることが可能となる。
【００５０】
しかも、本実施の形態では、第１定着装置１７Ａを通過することに起因して用紙Ｐが曲がることや、第１定着に伴う熱と圧力の影響で用紙Ｐに反りなどが発生しても、レジストローラ３２において用紙Ｐの曲がりを補正できるため、第２定着装置１７Ｂで用紙Ｐに皺が発生することを抑制できる。従って、本実施の形態では、厚い用紙への良質な画像形成を効率よく行えるという効果がある。
【００５１】
(その他の実施の形態)
以上、第１および第２の実施の形態について説明したが、この開示の一部をなす論述および図面はこの発明を限定するものであると理解すべきではない。この開示から当業者には様々な代替実施の形態、実施例および運用技術が明らかとなろう。
【００５２】
例えば、上記第１の実施の形態では、用紙の曲がり補正を行う補正機構としてレジストローラ３２を用いたが、このレジストローラ３２に代えて、例えば用紙の搬送方向先端を突き当てるシャッターを配置し、このシャッターに用紙先端を当てて曲がり補正を行った後に、このシャッターを解放するような機構を採用しても勿論よい。
【００５３】
また、用紙の曲がり補正を行う補正機構としては、上記レジストローラ３２に代えて、用紙の搬送方向と平行をなす両側の端縁（右端縁、左端縁）のいずれかを基準板（壁部）に沿わせて通紙する所謂片側基準で通紙を行うようにして、基準板に一方の上記端縁を押し当てるように斜めに移動させて、斜行補正を行うことで用紙の曲がり補正を行う構成を採用することも可能である。
【００５４】
さらに、上記第１の実施の形態では、カラー複写機１００が第１本体１０１と第２本体１０２とを備える構成としたが、１つの筐体内に構成要素を収納した構成としても勿論よい。
【符号の説明】
【００５５】
１７    定着装置
１７Ａ  第１定着装置
１７Ｂ  第２定着装置
２８    搬送路
２８Ａ  第１搬送路
２８Ｂ  第２搬送路
３１    搬送路切替手段
３２    レジストローラ（曲がり補正機構）
３３    アシストローラ
６０    画像形成部
６１    画像形成部
１００  カラー複写機
１０１  第１本体
１０２  第２本体
Ｐ      用紙
【図１】
2010168141.tif 000003
【図２】
2010168141.tif 000004